(57)【特許請求の範囲】
【請求項１】
投入された硬貨を分離して搬送する分離供給手段と、
該分離供給手段で搬送中の硬貨を識別する識別手段と、
該識別手段の識別結果に基づいてリジェクト硬貨を排除する排除手段と、
前記識別手段の識別結果に基づいて受け入れ可能と識別された真の硬貨を振り分ける振分手段と、
該振分手段で振り分けられた硬貨を一時貯留させる複数の一時貯留手段と、
該複数の一時貯留手段の硬貨を受け入れて収納する複数の収納手段とを有する硬貨入金機において、
金種別入金モードおよび混合入金モードのうちからモードを選択設定可能な選択手段と、
該選択手段で金種別入金モードが選択されているとき、前記分離供給手段に投入された硬貨の中から真の硬貨を、前記振分手段で金種別に振り分けて前記複数の一時貯留手段に金種別で一時貯留させた後に前記複数の収納手段に金種別で収納させる一方、前記選択手段で混合入金モードが選択されているとき、前記分離供給手段に投入された硬貨の中から真の硬貨を、前記振分手段で、前記複数の収納手段のそれぞれの収納可能な残容量に応じて、最も残容量が多いものから順に金種混合で収納させるように、最初に最も残容量が多い一の収納手段に対応する一の一時貯留手段に金種混合で一時貯留させ、当該一の一時貯留手段が満杯になると、次に残容量が多い残りの一の収納手段に対応する残りの一の一時貯留手段に金種混合で一時貯留させるようにして、前記複数の一時貯留手段を一つずつ満杯にしていき、その後、前記複数の収納手段にそれぞれ金種混合で収納させる制御手段とを有することを特徴とする硬貨入金機。
【発明の詳細な説明】
【技術分野】
【０００１】
本発明は、硬貨を計数して収納する硬貨入金機に関する。
【背景技術】
【０００２】
一般的に、硬貨入金機は、大量の混合硬貨が投入されると、これを金種別に選別計数して一時貯留し、選別計数結果を承認する承認操作が入力された場合には、金種別に一時貯留された硬貨を金種別の収納部に収納し、キャンセル操作が入力された場合には、金種別に一時貯留された硬貨を返却するようになっている（例えば、特許文献１参照）。また、このような硬貨の入金に関する技術として、いずれかの金種の収納部が満杯になってしまっても、硬貨の収納ができるようにオーバーフロー硬貨用の金庫を設けたものがある（例えば、特許文献２参照）。
【特許文献１】特開２００１−６０１５号公報
【特許文献２】特開平１０−９７６６７号公報
【発明の開示】
【発明が解決しようとする課題】
【０００３】
上記のように、硬貨を金種別の収納部に収納するものであると、いずれかの金種の収納部が満杯になってしまった場合には、他の金種の収納部は空いていても、それ以上の硬貨を受け入れなくなり、効率的に硬貨を収納することができないという問題があった。また、オーバーフロー硬貨用の金庫を設けるものでも、オーバーフロー硬貨用の金庫までもが満杯になってしまうと、他の金種の収納部は空いていても、やはり、それ以上の硬貨を受け入れなくなり、効率的に硬貨を収納することができない。そして、上記のように金種別に分ける要望がある一方で、収納量を多くしたいという要望もあるが、上記した技術では、これらの要望を両方満足することはできない。
【０００４】
したがって、本発明は、金種別に分ける要望と、収納量を多くする要望とを満足することができる硬貨入金機の提供を目的とする。
【課題を解決するための手段】
【０００５】
上記目的を達成するために、請求項１に係る発明は、投入された硬貨を分離して搬送する分離供給手段と、該分離供給手段で搬送中の硬貨を識別する識別手段と、該識別手段の識別結果に基づいてリジェクト硬貨を排除する排除手段と、前記識別手段の識別結果に基づいて受け入れ可能と識別された真の硬貨を振り分ける振分手段と、該振分手段で振り分けられた硬貨を一時貯留させる複数の一時貯留手段と、該複数の一時貯留手段の硬貨を受け入れて収納する複数の収納手段とを有する硬貨入金機において、金種別入金モードおよび混合入金モードのうちからモードを選択設定可能な選択手段と、該選択手段で金種別入金モードが選択されているとき、前記分離供給手段に投入された硬貨の中から真の硬貨を、前記振分手段で金種別に振り分けて前記複数の一時貯留手段に金種別で一時貯留させた後に前記複数の収納手段に金種別で収納させる一方、前記選択手段で混合入金モードが選択されているとき、前記分離供給手段に投入された硬貨の中から真の硬貨を、前記振分手段で、前記複数の収納手段のそれぞれの収納可能な残容量に応じて、最も残容量が多いものから順に金種混合で収納させるように、最初に最も残容量が多い一の収納手段に対応する一の一時貯留手段に金種混合で一時貯留させ、当該一の一時貯留手段が満杯になると、次に残容量が多い残りの一の収納手段に対応する残りの一の一時貯留手段に金種混合で一時貯留させるようにして、前記複数の一時貯留手段を一つずつ満杯にしていき、その後、前記複数の収納手段にそれぞれ金種混合で収納させる制御手段とを有することを特徴としている。
【発明の効果】
【０００７】
請求項１に係る発明によれば、選択手段で金種別入金モードが選択されているとき、制御手段は、分離供給手段に投入された硬貨の中から真の硬貨を、振分手段で金種別に振り分けて複数の一時貯留手段に金種別で一時貯留させた後に複数の収納手段に金種別で収納させることになるため、硬貨を金種別に分けることができる。一方、選択手段で混合入金モードが選択されているとき、制御手段は、分離供給手段に投入された硬貨の中から真の硬貨を、振分手段で複数の一時貯留手段に分けてそれぞれ金種混合で一時貯留させた後に複数の収納手段にそれぞれ金種混合で収納させることになるため、それまでの収納手段の収納状況等に応じて、硬貨を複数の一時貯留手段に分けて一時貯留させて複数の収納手段に分けて収納させることができる。したがって、硬貨を複数の収納手段の残容量を平均的に減らすように収納すること等が可能となり、効率的に収納することが可能となる。また、混合入金モードが選択されていて、硬貨を大量に受け入れる場合に、複数の一時貯留手段にこれらが満杯になるまで硬貨を一時貯留させることが可能となり、一時貯留手段から収納手段への受け渡しの回数を最小限にできて入金処理を速く行うことができる。しかも、混合入金モードが選択されているとき、上記したように硬貨を複数の収納手段の残容量を平均的に減らすように収納することが可能となることから、一つの収納手段の残容量が原因で、複数の一時貯留手段に最大限に硬貨を一時貯留させることができないという状況の発生を防止できる。
【０００８】
また、制御手段は、分離供給手段に投入された硬貨の中から真の硬貨を、複数の収納手段のそれぞれの収納可能な残容量に応じて、最も残容量が多いものから順に金種混合で収納させるように複数の一時貯留手段に金種混合で一時貯留させるため、より一層、硬貨を効率的に収納できることになる。
【発明を実施するための最良の形態】
【０００９】
本発明の一実施形態の硬貨入金機を図面を参照して以下に説明する。
図１は、本実施形態の硬貨入金機１を概略的に示すもので、硬貨入金機１は、装置本体２と、この装置本体２に対し着脱可能な台車部３とを有している。以下の説明における前後左右は、硬貨入金機１の前（操作者から見て手前側）、硬貨入金機１の後（操作者から見て奥側）および硬貨入金機１の左右（操作者から見て左右）である。
【００１０】
装置本体２には、一括投入された硬貨を分離して搬送する分離供給部（分離供給手段）５が上部に設けられている。この分離供給部５は、バラ硬貨が一括投入されるホッパ６と、このホッパ６の下側にその底部を形成するように設けられた水平旋回可能な回転円盤７と、硬貨が一枚のみ通過可能な開口を有し回転円盤７の回転時の遠心力で硬貨を一枚ずつ繰り出す硬貨分離部８と、硬貨分離部８で一枚ずつ繰り出された硬貨を水平に搬送する硬貨搬送部９とを有している。
【００１１】
また、装置本体２には、硬貨搬送部９で搬送中の硬貨の真偽及び金種を識別し計数する識別部（識別手段）１１が硬貨搬送部９の上流側に設けられ、硬貨搬送部９におけるこの識別部１１の下流側には、識別部１１の識別結果に基づいて真以外の硬貨と識別されたリジェクト硬貨を排除するリジェクト部（排除手段）１２が設けられて、さらに、硬貨搬送部９におけるリジェクト部１２の下流側には、識別部１１の識別結果に基づいて真の硬貨であって受け入れ可能と識別された硬貨を振り分ける複数箇所、具体的には取り扱う硬貨（日本国内では１円硬貨、５円硬貨、１０円硬貨、５０円硬貨、１００円硬貨および５００円硬貨）の種類と同数の六箇所の振分部（振分手段）１３ａ，１３ｂ，１３ｃ，１３ｄ，１３ｅ，１３ｆが硬貨搬送部９の搬送方向に沿ってこの順に設けられている。
【００１２】
ここで、これら振分部１３ａ〜１３ｆは、すべて、取り扱う最大径の硬貨（日本国内では５００円硬貨）を落下可能な選別孔１４ａ，１４ｂ，１４ｃ，１４ｄ，１４ｅ，１４ｆを有しており、これらのうち上流側の五つの振分部１３ａ〜１３ｅには、選別孔１４ａ〜１４ｅを個別に開閉可能なシャッタ１５ａ，１５ｂ，１５ｃ，１５ｄ，１５ｅが設けられている。さらに、各振分部１３ａ〜１３ｆのそれぞれの上流側には、硬貨の通過を検出する硬貨センサが１６ａ，１６ｂ，１６ｃ，１６ｄ，１６ｅ，１６ｆが設けられている。同様に、リジェクト部１２も、リジェクト孔１４ｇと、リジェクト孔１４ｇを開閉可能なシャッタ１５ｇと、上流側の硬貨センサ１６ｇとを有している。なお、硬貨センサ１６ａ〜１６ｇは、シャッタ１５ａ〜１５ｅ，１５ｇのうちの対応するものの開閉タイミングを制御するために用いられ、また、硬貨の搬送ジャムの有無を検出するために用いられる。
【００１３】
また、装置本体２は、リジェクト部１２で硬貨搬送部９から排除された硬貨を受け入れる着脱自在のリジェクトボックス２０と、各振分部１３ａ〜１３ｆに一対一で対応して設けられ、各振分部１３ａ〜１３ｆで振り分けられた硬貨を一時貯留させる複数箇所、具体的には取り扱う金種と同数の六箇所の一時貯留部（一時貯留手段）２１ａ，２１ｂ，２１ｃ，２１ｄ，２１ｅ，２１ｆとを有している。
【００１４】
一時貯留部２１ａ〜２１ｆは、左右方向に移動可能な共通の側壁部形成体２２にそれぞれの側壁部が個別に形成されており、この側壁部形成体２３の下側に左右方向に移動可能に設けられた共通の底部形成体２３でそれぞれの底部が形成されている。
【００１５】
なお、最も上流側の一時貯留部２１ａは、最も上流側の振分部１３ａの下方に設けられており、この振分部１３ａのシャッタ１５ａが開かれることで選別孔１４ａから落下された硬貨のみを受け入れて一時貯留させる。次の一時貯留部２１ｂは、振分部１３ｂの下方に設けられ、シャッタ１５ｂが開かれることで選別孔１４ｂから落下された硬貨のみを一時貯留させる。次の一時貯留部２１ｃは、振分部１３ｃの下方に設けられ、シャッタ１５ｃが開かれることで選別孔１４ｃから落下された硬貨のみを一時貯留させる。次の一時貯留部２１ｄは、振分部１３ｄの下方に設けられ、シャッタ１５ｄが開かれることで選別孔１４ｄから落下された硬貨のみを一時貯留させる。次の一時貯留部２１ｅは、振分部１３ｅの下方に設けられ、シャッタ１５ｅが開かれることで選別孔１４ｅから落下された硬貨のみを一時貯留させる。最も下流側の一時貯留部２１ｆは、振分部１３ｆの下方に設けられ、選別孔１４ｆから落下された硬貨のみを一時貯留させる。
【００１６】
台車部３は、下部に設けられたキャスタ３０を転動させることで、装置本体２に対し前面２Ａ側に引き出され、さらに装置本体２から取り外されて運搬される一方、前面２Ａ側から装填されることで装置本体２に装着されるようになっている。
【００１７】
台車部３には、前後方向に並設して複数具体的には金種と同数の六つの収納ボックス２４ａ，２４ｂ，２４ｃ，２４ｄ，２４ｅ，２４ｆが個別に着脱可能に設けられている。これら収納ボックス２４ａ〜２４ｆは、上記した装置本体２の複数の一時貯留部２１ａ〜２１ｆのそれぞれに一対一で対応して鉛直下方に設けられている。そして、一時貯留部２１ａ〜２１ｆを構成する側壁部形成体２２および底部形成体２３のうちの底部形成体２３のみが側方に移動すると、一時貯留部２１ａに一時貯留されていた硬貨のみが収納ボックス２４ａに、一時貯留部２１ｂに一時貯留されていた硬貨のみが収納ボックス２４ｂに、一時貯留部２１ｃに一時貯留されていた硬貨のみが収納ボックス２４ｃに、一時貯留部２１ｄに一時貯留されていた硬貨のみが収納ボックス２４ｄに、一時貯留部２１ｅに一時貯留されていた硬貨のみが収納ボックス２４ｅに、一時貯留部２１ｆに一時貯留されていた硬貨のみが収納ボックス２４ｆに、それぞれ収納されることになる。
【００１８】
台車部３の側方には、前後方向に並設して複数具体的には金種と同数の六つの個別に仕切られた返却収容部２５ａ，２５ｂ，２５ｃ，２５ｄ，２５ｅ，２５ｆを有する返却ボックス２６が着脱自在に設けられており、返却ボックス２６の返却収容部２５ａ〜２５ｆは、一時貯留部２１ａ〜２１ｆに一時貯留された硬貨を返却する際の受け入れ先となっている。つまり、一時貯留部２１ａ〜２１ｆを構成する側壁部形成体２２および底部形成体２３のうちの側壁部形成体２２のみが側方に移動すると、一時貯留部２１ａに一時貯留されていた硬貨のみが返却収容部２５ａに、一時貯留部２１ｂに一時貯留されていた硬貨のみが返却収容部２５ｂに、一時貯留部２１ｃに一時貯留されていた硬貨のみが返却収容部２５ｃに、一時貯留部２１ｄに一時貯留されていた硬貨のみが返却収容部２５ｄに、一時貯留部２１ｅに一時貯留されていた硬貨のみが返却収容部２５ｅに、一時貯留部２１ｆに一時貯留されていた硬貨のみが返却収容部２５ｆに、それぞれ投入されることになる。なお、この返却ボックス２６にあっては、六つの個別に仕切られた返却収容部２５ａ，２５ｂ，２５ｃ，２５ｄ，２５ｅ，２５ｆにより構成される必要はなく、仕切のない、ただ一つの返却収容部によって構成しても良いものである。
【００１９】
さらに、装置本体２には、分離供給部５の駆動を制御するとともに、識別部１１の識別結果および硬貨センサ１６ａ〜１６ｇの検出結果に基づいて振分部１３ａ〜１３ｅおよびリジェクト部１２のシャッタ１５ａ〜１５ｅ，１５ｇを個別に制御するとともに、側壁部形成体２２および底部形成体２３の移動を個別に制御する制御部（制御手段）２８と、操作者への表示を行うとともに操作者による操作入力が行われる表示操作部（選択手段）２９とが設けられている。ここで、表示操作部２９では、入金された硬貨を金種別に収納する金種別入金モードと、入金された硬貨を金種混合で収納する混合入金モードとが選択設定可能となっている。
【００２０】
次に、本実施形態の制御部２８の制御内容を説明する。
ここで、硬貨入金機１は、業務の開始時には、すべての収納ボックス２４ａ〜２４ｆが空の状態にされるとともに制御部２８に記憶された各金種別の硬貨の入金データも０にリセットされることになり、その後に行われる入金処理における識別部１１の計数結果から、制御部２８は各金種別の入金量を記憶するようになっている。また、制御部２８は、識別部１１の計数結果と振分部１３ａ〜１３ｆの振分結果とから各収納ボックス２４ａ〜２４ｆのそれぞれの硬貨の収納量を記憶する。
【００２１】
「金種別入金モード」
まず、業務の開始時に行われる初期設定において、表示操作部２９への適宜の入力で金種別入金モードが選択設定された状態にある場合を説明する。
【００２２】
硬貨入金機１で一の入金処理が開始されるにあたり、金種別入金モードが選択設定された状態にあると、制御部２８は、この一の入金処理で分離供給部５のホッパ６に金種混合で投入された硬貨のうち、識別部１１の識別結果に基づいて受け入れ不可と識別されたリジェクト硬貨を、すべてリジェクト部１２でリジェクトボックス２０に返却する一方、受け入れ可能と識別された真の硬貨を、金種別に選別して振り分けるように振分部１３ａ〜１３ｆを制御する。つまり、識別部１１で１円硬貨と識別された硬貨を、振分部１３ａのシャッタ１５ａを開いて選別孔１４ａから一時貯留部２１ａに一時貯留させる。また、識別部１１で５円硬貨と識別された硬貨を、シャッタ１５ａを閉状態として振分部１３ａを通過させ、振分部１３ｂのシャッタ１５ｂを開いて選別孔１４ｂから一時貯留部２１ｂに一時貯留させる。さらに、識別部１１で１０円硬貨と識別された硬貨を、シャッタ１５ａ，１５ｂを閉状態として振分部１３ａ，１３ｂを通過させ、振分部１３ｃのシャッタ１５ｃを開いて選別孔１４ｃから一時貯留部２１ｃに一時貯留させる。加えて、識別部１１で５０円硬貨と識別された硬貨を、シャッタ１５ａ〜１５ｃを閉状態として振分部１３ａ〜１３ｃを通過させ、振分部１３ｄのシャッタ１５ｄを開いて選別孔１４ｄから一時貯留部２１ｄに一時貯留させる。また、識別部１１で１００円硬貨と識別された硬貨を、シャッタ１５ａ〜１５ｄを閉状態として振分部１３ａ〜１３ｄを通過させ、振分部１３ｅのシャッタ１５ｅを開いて選別孔１４ｅから一時貯留部２１ｅに一時貯留させる。さらに、識別部１１で５００円硬貨と識別された硬貨を、シャッタ１５ａ〜１５ｅを閉状態として振分部１３ａ〜１３ｅを通過させ、振分部１３ｆの選別孔１４ｆから一時貯留部２１ｆに一時貯留させる。なお、一時貯留部２１ａ〜２１ｆへの各金種の振り分けのパターンは上記に限らず他の設定としても良い。
【００２３】
そして、この一の入金処理でホッパ６に投入された硬貨のうち識別部１１の識別結果に基づいて受け入れ可能と識別された真の硬貨がすべて一時貯留部２１ａ〜２１ｆのいずれかに一時貯留されると、金種別の計数結果および合計金額を表示操作部２９へ表示させ、操作者により表示操作部２９へ承認操作が入力されると、制御部２８は、底部形成体２３を移動させることで、一時貯留部２１ａ〜２１ｆのいずれかに一時貯留させていた硬貨を金種別のまま収納ボックス２４ａ〜２４ｆのいずれか対応するものに収納させる。他方、操作者により表示操作部２９へキャンセル操作が入力されると、制御部２８は、側壁部形成体２２を移動させることで、一時貯留部２１ａ〜２１ｆのいずれかに一時貯留させていた硬貨を金種別のまま返却ボックス２６の返却収容部２５ａ〜２５ｆのいずれか対応するものに返却させる。すると、操作者は、返却ボックス２６を取り出して返却硬貨を受け取る。
【００２４】
ここで、一の入金処理で、一時貯留部２１ａ〜２１ｆのうちのいずれか一つで一時貯留が不可な量の真の硬貨が識別部１１で検出された場合、制御部２８は、それ以後検出されたこの硬貨と同金種の硬貨をすべてリジェクト部１２のシャッタ１５ｇを開いてリジェクト孔１４ｇからリジェクトボックス２０に案内し、リジェクトボックス２０を介して操作者に返却する。他方、上記以外の金種の硬貨については、そのまま振り分けを続ける。このようにして、一の入金処理が終了すると、その時点で一時貯留部２１ａ〜２１ｆで一時貯留された硬貨についてのみ、金種別の計数結果および合計金額を表示操作部２９へ表示させ、操作者により表示操作部２９へ承認操作が入力されると、収納ボックス２４ａ〜２４ｆに金種別に収納させることになり、その後、操作者は、リジェクトボックス２０に返却された硬貨を再びホッパ６に投入して別の入金処理として処理する。
【００２５】
また、一の入金処理で、一時貯留部２１ａ〜２１ｆに金種別に硬貨を一時貯留させている最中に、収納ボックス２４ａ〜２４ｆのうちのいずれかの収納可能な残容量を超える量の硬貨が識別部１１で検出された場合、制御部２８は、この硬貨と同金種の硬貨を残容量に相当する収納可能な量のみ一時貯留部２１ａ〜２１ｆの対応する金種のものに一時貯留させ、同金種の硬貨であって残容量を超える硬貨をすべてリジェクト部１２からリジェクトボックス２０に案内し、リジェクトボックス２０を介して操作者に返却する。他方、上記以外の金種の硬貨については、そのまま振り分けを続ける。このようにして、一の入金処理が終了すると、その時点で一時貯留部２１ａ〜２１ｆで一時貯留された硬貨についてのみ、金種別の計数結果および合計金額を表示操作部２９へ表示させ、操作者により表示操作部２９へ承認操作が入力されると、収納ボックス２４ａ〜２４ｆに金種別に収納させることになる。なお、収納ボックス２４ａ〜２４ｆのいずれかが満杯になると、制御部２８は満杯であることを表示操作部２９に表示させて収納ボックス２４ａ〜２４ｆの回収を促すことになる。
【００２６】
「混合入金モード」
次に、業務の開始時に行われる初期設定において、表示操作部２９への適宜の入力で混合入金モードが選択設定された状態にある場合を説明する。
【００２７】
硬貨入金機１で一の入金処理が開始されるにあたり、混合入金モードが選択設定された状態にあると、制御部２８は、この一の入金処理で分離供給部５のホッパ６に金種混合で投入された硬貨のうち、識別部１１の識別結果に基づいて受け入れ不可と識別されたリジェクト硬貨を、すべてリジェクト部１２でリジェクトボックス２０に返却する一方、受け入れ可能と識別された真の硬貨を、金種混合のまま、一時貯留部２１ａ〜２１ｆのうちの複数のものに必要に応じて分け、それぞれ順に金種混合で可能な限り一時貯留させた後に、それぞれ収納ボックス２４ａ〜２４ｆの対応するものに金種混合で収納するように振分部１３ａ〜１３ｆを制御する。しかも、制御部２８は、受け入れ可能と識別された真の硬貨を、複数の収納ボックス２４ａ〜２４ｆのそれぞれの収納可能な残容量に応じて、最も残容量が多いものから順に金種混合で収納させるように複数の一時貯留部２１ａ〜２１ｆのうちの複数のものに分けて金種混合で一時貯留させる。
【００２８】
例えば、前回までの入金処理の結果、一の入金処理の開始時点で、硬貨を収納可能な残容量の多い順番が、収納ボックス２４ａ、収納ボックス２４ｂ、収納ボックス２４ｃ、収納ボックス２４ｄ、収納ボックス２４ｅ、収納ボックス２４ｆの順であった場合に、制御部２８は、この一の入金処理で分離供給部５のホッパ６に投入された硬貨のうち識別部１１の識別結果に基づいて受け入れ可能と識別された真の硬貨を、まず最初に、金種混合のまま、振分部１３ａのシャッタ１５ａを開いて選別孔１４ａから収納ボックス２４ａに対応する一時貯留部２１ａに可能な限り一時貯留させる。そして、一時貯留部２１ａを満杯にすると判断される量の硬貨を一時貯留部２１ａに一時貯留させると、次に制御部２８は、次に残容量が多い収納ボックス２４ｂに対応する一時貯留部２１ｂに可能な限りの硬貨を金種混合で一時貯留させる。さらに、一時貯留部２１ｂを満杯にすると判断される量の硬貨を一時貯留部２１ｂに一時貯留させると、次に制御部２８は、次に残容量が少ない収納ボックス２４ｃに対応する一時貯留部２１ｃに可能な限りの硬貨を金種混合で一時貯留させる。さらに、一時貯留部２１ｃを満杯にすると判断される量の硬貨を一時貯留部２１ｃに一時貯留させると、次に制御部２８は、次に残容量が少ない収納ボックス２４ｄに対応する一時貯留部２１ｄに可能な限りの硬貨を金種混合で一時貯留させる。さらに、一時貯留部２１ｄを満杯にすると判断される量の硬貨を一時貯留部２１ｄに一時貯留させると、次に制御部２８は、次に残容量が少ない収納ボックス２４ｅに対応する一時貯留部２１ｅに可能な限りの硬貨を金種混合で一時貯留させる。さらに、一時貯留部２１ｅを満杯にすると判断される量の硬貨を一時貯留部２１ｅに一時貯留させると、次に制御部２８は、最も残容量が少ない収納ボックス２４ｆに対応する一時貯留部２１ｆに可能な限りの硬貨を金種混合で一時貯留させる。
【００２９】
そして、この一の入金処理でホッパ６に投入された硬貨のうち識別部１１の識別結果に基づいて受け入れ可能と識別された真の硬貨がすべて一時貯留部２１ａ〜２１ｆのいずれかに一時貯留されると、金種別の計数結果および合計金額を表示操作部２９へ表示させ、操作者により表示操作部２９へ承認操作が入力されると、制御部２８は、底部形成体２３を移動させることで、一時貯留部２１ａ〜２１ｆのいずれかに一時貯留させていた硬貨を金種混合のまま収納ボックス２４ａ〜２４ｆのいずれか対応するものに収納させる。他方、操作者により表示操作部２９へキャンセル操作が入力されると、制御部２８は、側壁部形成体２２を移動させることで、一時貯留部２１ａ〜２１ｆのいずれかに一時貯留させていた硬貨を金種混合のまま返却ボックス２６の返却収容部２５ａ〜２５ｆのいずれか対応するものに返却させる。すると、操作者は、返却ボックス２６を取り出して返却硬貨を受け取る。
【００３０】
ここで、一の入金処理で分離供給部５のホッパ６に投入され、受け入れ可能と識別された真の硬貨がすべて一時貯留部２１ａのみに一時貯留可能な量であった場合には、一時貯留部２１ａからその満杯量以下の硬貨が残容量の最も多い収納ボックス２４ａに収納されることになる。また、一の入金処理で分離供給部５のホッパ６に投入され、受け入れ可能と識別された真の硬貨がすべて一時貯留部２１ａ，２１ｂのみに一時貯留可能な量であった場合には、一時貯留部２１ａからその満杯量の硬貨が残容量の最も多い収納ボックス２４ａに収納され、一時貯留部２１ｂからその満杯量以下の量の硬貨が残容量の次に多い収納ボックス２４ｂに収納されることになる。さらに、一の入金処理で分離供給部５のホッパ６に投入され、受け入れ可能と識別された真の硬貨が一時貯留部２１ａ，２１ｂ，２１ｃに一時貯留可能な量であった場合には、一時貯留部２１ａからその満杯量の硬貨が残容量の最も多い収納ボックス２４ａに収納され、一時貯留部２１ｂからその満杯量の硬貨が残容量の次に多い収納ボックス２４ｂに収納され、一時貯留部２１ｃからその満杯量以下の量の硬貨が残容量の次に多い収納ボックス２４ｃに収納されることになる。同様の真の硬貨が一時貯留部２１ａ〜２１ｄに一時貯留可能な量であった場合には、一時貯留部２１ａ〜２１ｃのそれぞれからそれぞれの満杯量の硬貨が収納ボックス２４ａ〜２４ｃに収納され、一時貯留部２１ｄからその満杯量以下の量の硬貨が収納ボックス２４ｄに収納されることになり、同様の真の硬貨が一時貯留部２１ａ〜２１ｅに一時貯留可能な量であった場合には、一時貯留部２１ａ〜２１ｄのそれぞれからそれぞれの満杯量の硬貨が収納ボックス２４ａ〜２４ｄに収納され、一時貯留部２１ｅからその満杯量以下の量の硬貨が収納ボックス２４ｅに収納されることになり、同様の真の硬貨が一時貯留部２１ａ〜２１ｆに一時貯留可能な量であった場合には、一時貯留部２１ａ〜２１ｅのそれぞれからそれぞれの満杯量の硬貨が収納ボックス２４ａ〜２４ｅに収納され、一時貯留部２１ｆからその満杯量以下の量の硬貨が収納ボックス２４ｆに収納されることになる。
【００３１】
なお、以上においては、一の入金処理の開始時点で、硬貨を収納可能な残容量の多い順番が、収納ボックス２４ａ、収納ボックス２４ｂ、収納ボックス２４ｃ、収納ボックス２４ｄ、収納ボックス２４ｅ、収納ボックス２４ｆの順であった場合を一例として説明したが、残容量の多い順番は、その時々で異なることになり、いずれの場合も、残容量の多い順番に応じて、一時貯留部２１ａ〜２１ｆおよび収納ボックス２４ａ〜２４ｆへの一時貯留および収納の順番を上記例に対し入れ替えるのみである。
【００３２】
以上のようにして、混合入金モードの入金処理の場合は、収納ボックス２４ａ〜２４ｆに、常に残容量が最も多いものから順に硬貨を収納させるように、一時貯留部２１ａ〜２１ｆにこの残容量の順と同じ順番で可能な限りの硬貨を一時貯留させることになるため、収納ボックス２４ａ〜２４ｆは、平均的に残容量が減ることになって、平均的に残容量を残すことができる。このため、大量の硬貨を一時貯留部２１ａ〜２１ｆの全部を使って収納ボックス２４ａ〜２４ｆに収納させる場合に、収納ボックス２４ａ〜２４ｆのうちの一つの残容量が足りないため収納できる硬貨量が減ってしまうという状況を極力回避できることになる。
【００３３】
つまり、収納ボックス２４ａが満杯に近い場合には、硬貨を一時貯留部２１ａに一時貯留可能であるにもかかわらず、一時貯留部２１ａに一時貯留させることができず、残りの一時貯留部２１ｂ〜２１ｆのみに一時貯留させることになるため、残りの一時貯留部２１ｂ〜２１ｆに対応する収納ボックス２４ｂ〜２４ｆの残容量に余裕があっても、一の入金処理では一時貯留部２１ｂ〜２１ｆの一時貯留分しか硬貨を収納できないことになる。このような状況が生じないように全部の収納ボックス２４ａ〜２４ｆの残容量を常に平均的に残すように収納を振り分けるのである。
【００３４】
ここで、一の入金処理で、一時貯留部２１ａ〜２１ｆの全部での一時貯留が不可な量の真の硬貨が識別部１１で検出された場合、制御部２８は、それ以後の硬貨をすべてリジェクト部１２のシャッタ１５ｇを開いてリジェクト孔１４ｇからリジェクトボックス２０に案内し、リジェクトボックス２０を介して操作者に返却する。そして、一時貯留部２１ａ〜２１ｆで一時貯留された硬貨についてのみ、金種別の計数結果および合計金額を表示操作部２９へ表示させ、操作者により表示操作部２９へ承認操作が入力されると、収納ボックス２４ａ〜２４ｆに収納させることになり、その後、操作者は、リジェクトボックス２０に返却された硬貨を再びホッパ６に投入して別の入金処理として処理する。
【００３５】
また、一の入金処理で、収納ボックス２４ａ〜２４ｆのうちの最も収納可能な残容量が多いものから順に硬貨を収納させるように一時貯留部２１ａ〜２１ｆの対応するものに硬貨を一時貯留させている最中に、収納ボックス２４ａ〜２４ｆのうちの最も収納可能な残容量が多いものの残容量を超える量の硬貨が識別部１１で検出された場合には、制御部２８は、残容量に相当する収納可能な量の硬貨のみを一時貯留部２１ａ〜２１ｆの対応する最初の一つに一時貯留させ、残容量を超える硬貨を、収納ボックス２４ａ〜２４ｆのうちの次に収納可能な残容量が多いものに収納させるように一時貯留部２１ａ〜２１ｆの対応する次の一つに一時貯留させる。さらに、この最中に、収納ボックス２４ａ〜２４ｆのうちの前記次に収納可能な残容量が多いものの残容量を超える量の硬貨が識別部１１で検出された場合には、制御部２８は、収納ボックス２４ａ〜２４ｆのうちの前記次に収納可能な残容量が多いものの残容量に相当する収納可能な量の硬貨のみを一時貯留部２１ａ〜２１ｆの対応する前記次の一つに一時貯留させ、残容量を超える硬貨を、収納ボックス２４ａ〜２４ｆのうちのさらに次に収納可能な残容量が少ないものに収納させるように一時貯留部２１ａ〜２１ｆの対応するさらに次の一つに一時貯留させる。同様にして、順次、残容量の多い順に残容量に対応する量を収納させるように硬貨を振り分け、収納ボックス２４ａ〜２４ｆのうちの最も収納可能な残容量が少ないものの残容量を超える量の硬貨が識別部１１で検出された場合には、制御部２８は、その後の硬貨をすべてリジェクト部１２からリジェクトボックス２０に案内し、リジェクトボックス２０を介して操作者に返却する。なお、収納ボックス２４ａ〜２４ｆのいずれかが満杯になると、制御部２８は満杯であることを表示操作部２９に表示させて収納ボックス２４ａ〜２４ｆの回収を促すことになる。
【００３６】
以上に述べた本実施形態の硬貨入金機１によれば、表示操作部２９で金種別入金モードが選択されているとき、制御部２８は、分離供給部５に投入された硬貨の中から真の硬貨を、振分部１３ａ〜１３ｆで金種別に振り分けて複数の一時貯留部２１ａ〜２１ｆに金種別で一時貯留させた後に複数の収納ボックス２４ａ〜２４ｆに金種別で収納させることになるため、硬貨を金種別に分けることができる。一方、表示操作部２９で混合入金モードが選択されているとき、制御部２８は、分離供給部５に投入された硬貨の中から真の硬貨を、振分部１３ａ〜１３ｆで一時貯留部２１ａ〜２１ｆのうちの複数のものに分けてそれぞれ金種混合で一時貯留させた後に、収納ボックス２４ａ〜２４ｆのうちの対応するものにそれぞれ金種混合で収納させることになるため、それまでの収納ボックス２４ａ〜２４ｆの収納状況等に応じて、硬貨を複数の一時貯留部２１ａ〜２１ｆに分けて一時貯留させて複数の収納ボックス２４ａ〜２４ｆに分けて収納させることができる。したがって、硬貨を複数の収納ボックス２４ａ〜２４ｆの残容量を平均的に減らすように収納すること等が可能となり、効率的に収納することが可能となる。また、混合入金モードが選択されていて、硬貨を大量に受け入れる場合に、複数の一時貯留部２１ａ〜２１ｆにこれらが満杯になるまで硬貨を一時貯留させることが可能となり、一時貯留部２１ａ〜２１ｆから収納ボックス２４ａ〜２４ｆへの受け渡しの回数を最小限にできて入金処理を速く行うことができる。しかも、混合入金モードが選択されているとき、上記したように硬貨を複数の収納ボックス２４ａ〜２４ｆの残容量を平均的に減らすように収納することが可能となることから、収納ボックス２４ａ〜２４ｆのうちの一つの残容量が原因で、複数の一時貯留部２１ａ〜２１ｆに最大限に硬貨を一時貯留させることができないという状況の発生を防止できる。
【００３７】
混合入金モードが選択されていて、硬貨を大量に受け入れる場合に、制御部２８は、分離供給部５に投入された硬貨の中から真の硬貨を、複数の収納ボックス２４ａ〜２４ｆのそれぞれの収納可能な残容量に応じて、最も残容量が多いものから順に金種混合で収納させるように複数の一時貯留部２１ａ〜２１ｆのいずれかにそれぞれ満杯となるまで金種混合で一時貯留させて収納ボックス２４ａ〜２４ｆの対応するものに金種混合で収納させることができる。したがって、より一層、硬貨を効率的に収納できることになる。加えて、収納ボックス２４ａ〜２４ｆの収納容量が同じ場合には、回収の際に、収納ボックス２４ａ〜２４ｆに平均的に硬貨が収納されていることになるため、収納ボックス２４ａ〜２４ｆの個々の持ち運びが容易となる。
【００３８】
なお、混合入金モードにおいて、例えば、収納ボックス２４ａ〜２４ｆのそれぞれの全収納容量が同じ場合に、硬貨を一枚ずつ複数の一時貯留部２１ａ〜２１ｆに順次一時貯留させることを繰り返すようにしても良い。つまり、例えば、一時貯留部２１ａ、一時貯留部２１ｂ、一時貯留部２１ｃ、一時貯留部２１ｄ、一時貯留部２１ｅ、一時貯留部２１ｆ、一時貯留部２１ａ、…のように、入金処理の度に、すべての一時貯留部２１ａ〜２１ｆに平均的に硬貨を一時貯留させ、すべての収納ボックス２４ａ〜２４ｆに平均的に硬貨を収納させるのである。他方、収納ボックス２４ａ〜２４ｆのそれぞれの全収納容量が異なる場合に、収納容量に応じた割合で振り分けるようにしても良い。例えば、全収納容量の割合が、収納ボックス２４ａ：他の収納ボックス２４ｂ〜２４ｆ＝２：１である場合、一時貯留部２１ａ、一時貯留部２１ａ、一時貯留部２１ｂ、一時貯留部２１ｃ、一時貯留部２１ｄ、一時貯留部２１ｅ、一時貯留部２１ｆ、一時貯留部２１ａ、一時貯留部２１ａ、一時貯留部２１ｂ、…のように振り分けるのである。この場合、処理する硬貨が多いと、一時貯留部２１ａが最初に満杯になってしまうことになるが、一時貯留部２１ａが満杯になった後は、当然ながら一時貯留部２１ａには入れずに、残りの一時貯留部２１ｂ〜一時貯留部２１ｆに均等に振り分けて可能な限り一時貯留させることになる。
【００３９】
ここで、収納ボックス２４ａ〜２４ｆの硬貨の収納量および収納可能な残容量を算出するときに、単に硬貨の枚数だけで算出するのではなく、大きさの違いによる補正を行っても良い（例えば、５００円硬貨一枚に対し１円硬貨二枚を相当させる等）。さらには、一時貯留部２１ａ〜２１ｆに振り分ける際にも、このような補正を行いつつ収納させるようにしても良い。加えて、一時貯留部２１ａ〜２１ｆの満杯検知および収納ボックス２４ａ〜２４ｆの満杯検知のうちの少なくともいずれか一方を識別部１１の計数ではなく、硬貨の満杯状態を光学的に検出する満杯検知センサを設けて行っても良く、さらには、計数値および満杯検知センサの両方に基づいて検出するようにしても良い。
【図面の簡単な説明】
【００４０】
【図１】本発明の一実施形態の硬貨入金機の全体構成を概略的に示す側面図である。
【図２】本発明の一実施形態の硬貨入金機の下部構成を概略的に示す側面図である。
【図３】本発明の一実施形態の硬貨入金機の下部構成を概略的に示す正面図である。
【符号の説明】
【００４１】
１  硬貨入金機
５  分離供給部（分離供給手段）
１１  識別部（識別手段）
１２  リジェクト部（排除手段）
１３ａ〜１３ｆ  振分部（振分手段）
２１ａ〜２１ｆ  一時貯留部（一時貯留手段）
２４ａ〜２４ｆ  収納ボックス（収納手段）
２８  制御部（制御手段）
２９  表示操作部（選択手段）
【図１】
0004786276.tif 000002
【図２】
0004786276.tif 000003
【図３】
0004786276.tif 000004